(57)【要約】【課題】電磁接触器の交換時において配線の接続が間違えられることを防止できる電磁接触器の配線保持具等を提供する。【解決手段】電磁接触器の配線保持具等は、電磁接触器に接続された複数の配線の前記電磁接触器の側において前記複数の配線の並びを維持する本体と、前記本体に着脱自在に設けられ、前記本体に取り付けられた際に前記本体とともに前記複数の配線の並びを維持した状態で前記複数の配線を保持するカバーと、を備えた。当該構成を備えることにより、電磁接触器の交換時において配線の接続が間違えられることを防止できる。【選択図】図２
2015162949.tif 000002
【特許請求の範囲】
【請求項１】
電磁接触器に接続された複数の配線の前記電磁接触器の側において前記複数の配線の並びを維持する本体と、
前記本体に着脱自在に設けられ、前記本体に取り付けられた際に前記本体とともに前記複数の配線の並びを維持した状態で前記複数の配線を保持するカバーと、
を備えた電磁接触器の配線保持具。
【請求項２】
前記本体は、
前記複数の配線の一列の並びを維持する一面と、
前記複数の配線の他列の並びを維持する他面と、
を備え、
前記カバーは、
前記本体の一面の側に取り付けられた際に前記本体の一面の側とともに前記複数の配線の一列を保持する第１カバーと、
前記本体の他面の側に取り付けられた際に前記本体の他面の側とともに前記複数の配線の他列を保持する第２カバーと、
を備えた請求項１に記載の電磁接触器の配線保持具。
【請求項３】
前記本体の一面は、前記複数の配線の一列の側における配線の各々を区切って収納する凹部を有し、
前記本体の他面は、前記複数の配線の他列の側における配線の各々を区切って収納する凹部を有した請求項２に記載の電磁接触器の配線保持具。
【請求項４】
電磁接触器に接続された複数の配線の前記電磁接触器の側において前記複数の配線の並びを維持する維持工程と、
前記複数の配線の並びを維持した状態で前記複数の配線を保持する保持工程と、
前記複数の配線の並びを維持した状態で前記複数の配線を保持している際に前記複数の配線を前記電磁接触器との接続から解放させる解放工程と、
前記複数の配線が前記電磁接触器との接続から解放されている際に前記電磁接触器を取り外す取り外し工程と、
前記電磁接触器が取り外された位置に新規電磁接触器を取り付ける取り付け工程と、
前記電磁接触器が取り外された位置に前記新規電磁接触器が取り付けられた後に、並びが維持された前記複数の配線を前記新規電磁接触器に接続する接続工程と、
を備えた電磁接触器の交換方法。
【請求項５】
前記保持工程は、
前記複数の配線の一列の並びを維持した状態で保持する第１保持工程と、
前記複数の配線の他列の並びを維持した状態を保持する第２保持工程と、
を備え、
前記接続工程は、
前記第１保持工程により並びが維持された前記複数の配線の一列を前記電磁接触器に接続する第１接続工程と、
前記第２保持工程により並びが維持された前記複数の配線の他列を前記電磁接触器に接続する第２接続工程と、
を備えた請求項４に記載の電磁接触器の交換方法。
【請求項６】
前記接続工程の後に前記複数の配線の並びを解除する解除工程、
を備えた請求項４または請求項５に記載の電磁接触器の交換方法。
【発明の詳細な説明】
【技術分野】
【０００１】
この発明は、電磁接触器の配線保持具及び電磁接触器の交換方法に関する。
【背景技術】
【０００２】
特許文献１には、電磁接触器が記載されている。例えば、電磁接触器は、複数の端子を備える。端子の各々は、対応した配線に接続される。電磁接触器の交換時において、複数配線の各々が電磁接触器の端子から取り外される。その後、電磁接触器が取り外される。その後、新規電磁接触器が取り付けられる。その後、配線の各々が新規電磁接触器の端子に取り付けられる。
【先行技術文献】
【特許文献】
【０００３】
【特許文献１】特開２００７−３３０００１号公報
【発明の概要】
【発明が解決しようとする課題】
【０００４】
しかしながら、配線の各々が電磁接触器の端子から取り外されると、複数の配線の並びが崩れる。このため、配線の各々は、新規電磁接触器の対応していない端子に取り付けられる場合がある。
【０００５】
この発明は、上述の課題を解決するためになされた。この発明の目的は、電磁接触器の交換時において配線の接続が間違えられることを防止できる電磁接触器の配線保持具及び電磁接触器の交換方法を提供することである。
【課題を解決するための手段】
【０００６】
この発明に係る電磁接触器の配線保持具は、電磁接触器に接続された複数の配線の前記電磁接触器の側において前記複数の配線の並びを維持する本体と、前記本体に着脱自在に設けられ、前記本体に取り付けられた際に前記本体とともに前記複数の配線の並びを維持した状態で前記複数の配線を保持するカバーと、を備えた。
【０００７】
この発明に係る電磁接触器の交換方法は、電磁接触器に接続された複数の配線の前記電磁接触器の側において前記複数の配線の並びを維持する維持工程と、前記複数の配線の並びを維持した状態で前記複数の配線を保持する保持工程と、前記複数の配線の並びを維持した状態で前記複数の配線を保持している際に前記複数の配線を前記電磁接触器との接続から解放させる解放工程と、前記複数の配線が前記電磁接触器との接続から解放されている際に前記電磁接触器を取り外す取り外し工程と、前記電磁接触器が取り外された位置に新規電磁接触器を取り付ける取り付け工程と、前記電磁接触器が取り外された位置に前記新規電磁接触器が取り付けられた後に、並びが維持された前記複数の配線を前記新規電磁接触器に接続する接続工程と、を備えた。
【発明の効果】
【０００８】
この発明によれば、複数の配線は、電磁接触器の側において本体とカバーとにより並びを維持された状態で保持される。このため、電磁接触器の交換時において配線の接続が間違えられることを防止できる。
【図面の簡単な説明】
【０００９】
【図１】この発明の実施の形態１における電磁接触器の配線保持具が利用される電磁接触器を備えたエレベータの構成図である。
【図２】この発明の実施の形態１における電磁接触器の配線保持具が利用される電磁接触器の斜視図である。
【図３】この発明の実施の形態１における電磁接触器の配線保持具が利用される電磁接触器に接続された配線の配置を説明するための平面図である。
【図４】この発明の実施の形態１における電磁接触器の配線保持具の平面図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１における電磁接触器の配線保持具が利用される電磁接触器を備えたエレベータの構成図である。
【００１２】
図１において、エレベータの昇降路１は、建築物の各階を貫くように形成される。例えば、機械室２は、昇降路１の上部に設けられる。例えば、巻上機３は、機械室２に設けられる。例えば、そらせ車４は、機械室２に設けられる。そらせ車４は、巻上機３に隣接する。
【００１３】
巻上ロープ５は、巻上機３とそらせ車４とに巻き掛けられる。かご６は、昇降路１の内部に設けられる。かご６は、巻上ロープ５の一端に吊るされる。つり合いおもり７は、昇降路１の内部に設けられる。つり合いおもり７は、巻上ロープ５の他端に吊るされる。
【００１４】
例えば、制御装置８は、機械室２に設けられる。制御装置８の出力部は、巻上機３の入力部に接続される。
【００１５】
制御装置８は、巻上機３に回転指令を出力する。巻上機３は、制御装置８からの回転指令に基づいて回転する。巻上ロープ５は、巻上機３の回転に追従して移動する。かご６とつり合いおもり７とは、巻上ロープ５の移動に追従して互いに反対方向に昇降する。
【００１６】
次に、図２を用いて、制御装置８の内部を説明する。
図２はこの発明の実施の形態１における電磁接触器の配線保持具が利用される電磁接触器の斜視図である。
【００１７】
図２に示すように、制御装置８は、複数の電磁接触器９を備える。複数の電磁接触器９は、互いに隣接する。電磁接触器９の各々は、複数の端子９ａを備える。端子９ａの各々は、対応した配線９ｂに接続される。
【００１８】
例えば、電磁接触器９の各々の上部において、配線９ｂの各々は、上方に引き出される。例えば、電磁接触器９の各々の下部において、配線９ｂの各々は、下方に引き出される。
【００１９】
電磁接触器９の各々の交換時においては、複数の配線保持具１０が利用される。例えば、電磁接触器９の各々の直上において、配線保持具１０の各々は、電磁接触器９の各々の上部に接続された配線９ｂの各々を保持する。例えば、電磁接触器９の各々の直下において、図示しない配線保持具の各々は、電磁接触器９の各々の下部に接続された配線９ｂの各々を保持する。
【００２０】
その後、配線９ｂの各々の端部が端子９ａから取り外される。その後、電磁接触器９の各々が制御装置８から取り外される。その後、電磁接触器９の各々が取り外された位置に図示しない新規電磁接触器の各々が取り付けられる。その後、配線９ｂの各々の端部が図示しない新規電磁接触器の端子に接続される。
【００２１】
その後、電磁接触器９の各々の直上において、配線保持具１０の各々は、電磁接触器９の各々の上部に接続された配線９ｂの各々の保持から解除される。電磁接触器９の各々の直下において、図示しない配線保持具の各々は、電磁接触器９の各々の下部に接続された配線９ｂの各々の保持から解除される。
【００２２】
次に、図３を用いて、配線９ｂの配置を説明する。
図３はこの発明の実施の形態１における電磁接触器の配線保持具が利用される電磁接触器に接続された配線の配置を説明するための平面図である。
【００２３】
図３に示すように、複数の配線９ｂの並びは、水平投影面上において端子９ａの並びとほぼ同様となる。例えば、電磁接触器９の各々の直上において、複数の配線９ｂは、対応した端子９ａの上方に配置される。例えば、電磁接触器９の各々の直下において、複数の配線９ｂは、対応した端子９ａの下方に配置される。
【００２４】
次に、図４を用いて、配線保持具１０を説明する。
図４はこの発明の実施の形態１における電磁接触器の配線保持具の平面図である。
【００２５】
図４に示すように、配線保持具１０は、本体１０ａ、第１カバー１０ｂ、第２カバー１０ｃを備える。
【００２６】
本体１０ａは、直方体状に形成される。本体１０ａの一面は、複数の凹部１１ａを備える。本体１０ａの他面は、複数の凹部１１ｂを備える。
【００２７】
複数の凹部１１ａは、複数の配線９ｂの一列の配置に合わせて形成される。凹部１１ａの各々は、互いに区切られる。凹部１１ａの各々は、対応した配線９ｂの外径に合わせて形成される。凹部１１ａの各々は、対応した配線９ｂを収納する。
【００２８】
複数の凹部１１ｂは、複数の配線９ｂの他列の配置に合わせて形成される。凹部１１ｂの各々は、互いに区切られる。凹部１１ｂの各々は、対応した配線９ｂの外径に合わせて形成される。凹部１１ｂの各々は、対応した配線９ｂを収納する。
【００２９】
第１カバー１０ｂは、本体１０ａの一面の側に着脱自在に固定される。第１カバー１０ｂは、本体１０ａの一面の全体を覆う。第１カバー１０ｂは、本体１０ａの一面とともに、複数の配線９ｂの一列の並びを維持した状態で複数の配線９ｂの一列を保持する。
【００３０】
第２カバー１０ｃは、本体１０ａの他面の側に着脱自在に固定される。第２カバー１０ｃは、本体１０ａの他面の全体を覆う。第２カバー１０ｃは、本体１０ａの他面とともに、複数の配線９ｂの他列の並びを維持した状態で複数の配線９ｂの他列を保持する。
【００３１】
以上で説明した実施の形態１によれば、複数の配線９ｂは、電磁接触器９の側において本体１０ａと第１カバー１０ｂと第２カバー１０ｃとにより並びを維持された状態で保持される。このため、電磁接触器９の交換時において、配線９ｂの接続が間違えられることを防止できる。
【００３２】
この際、配線９ｂに識別体等を付す必要はない。このため、電磁接触器９を交換する際の作業時間を短縮することができる。
【００３３】
また、複数の配線９ｂの一列は、本体１０ａと第１カバー１０ｂとにより並びを維持された状態で保持される。複数の配線９ｂの他列は、本体１０ａと第２カバー１０ｃとにより並びを維持された状態で保持される。このため、複数の配線９ｂが２列で並んでいる場合でも、電磁接触器９の交換時において配線９ｂの接続が間違えられることを防止できる。
【００３４】
また、複数の配線９ｂの一列は、本体１０ａの凹部１１ａに収納される。複数の配線９ｂの他列は、本体１０ａの凹部１１ｂに収納される。このため、複数の配線９ｂの並びをより確実に維持することができる。
【００３５】
なお、配線保持具１０で複数の配線９ｂを予め保持してもよい。この場合、電磁接触器９の交換時において配線保持具１０で複数の配線９ｂを保持する工程を省略することができる。
【００３６】
また、スポンジ等の軟らかい材料で本体１０ａを形成してもよい。この場合、本体１０ａは、圧縮しながら配線９ｂを保持する。このため、異なる外形の配線９ｂを配線保持具１０で保持することができる。異なる外径の配線９ｂを配線保持具で保持することができる。
【００３７】
この際、凹部１１ａ、１１ｂの深さの値を配線９ｂの外径の値よりも小さくしてもよい。この場合、本体１０ａは、凹部１１ａ、１１ｂの底部をつぶしながら配線９ｂを保持する。このため、異なる外形の配線９ｂを配線保持具１０でより確実に保持することができる。異なる外径の配線９ｂを配線保持具１０でより確実に保持することができる。
【００３８】
この際、凹部１１ａ、１１ｂの幅の値を配線９ｂの外径の値よりも小さくしてもよい。この場合、本体１０ａは、凹部１１ａ、１１ｂの側壁をつぶしながら配線９ｂを保持する。このため、異なる外形の配線９ｂを配線保持具１０でより確実に保持することができる。異なる外径の配線９ｂを配線保持具１０でより確実に保持することができる。
【００３９】
また、エレベータの制御装置８とは異なる装置に設けられた機器に対し、配線保持具１０を利用してもよい。この場合、機器の交換時において配線９ｂの接続が間違えられることを防止できる。
【符号の説明】
【００４０】
１  昇降路、  ２  機械室、  ３  巻上機、  ４  そらせ車、  ５  巻上ロープ、  ６  かご、  ７  つり合いおもり、  ８  制御装置、  ９  電磁接触器、  ９ａ  端子、  ９ｂ  配線、  １０  配線保持具、  １０ａ  本体、  １０ｂ  第１カバー、  １０ｃ  第２カバー、  １１ａ、１１ｂ  凹部
【図１】
2015162949.tif 000003
【図２】
2015162949.tif 000004
【図３】
2015162949.tif 000005
【図４】
2015162949.tif 000006